(57)【要約】      （修正有）【課題】より簡便に作業員が水分を補給することができるための飲料保持具を提供する。【解決手段】飲料保持具１は、ベルト通し孔が形成され、ベルトを通すことで使用者の腰近傍に垂れ下げることが可能な垂下部材２と、垂下部材に固定される飲料容器保持枠３と、を備える。飲料容器保持枠は、垂下部材に固定される板状部材４１及び板状部材に固定される台座部材４２を介して垂下部材に固定されていることが好ましい。また飲料容器保持枠は、棒状又は薄膜状の金属又は樹脂が組み合わされる又は曲げられることにより構成され、飲料容器が保持された場合に、飲料容器に押さえつける力が加わるとともに、飲料容器内部の残量を容易に確認できることが好ましい。【選択図】図１
0003207744.tif 000002
【実用新案登録請求の範囲】
【請求項１】
ベルト通し孔が形成され、ベルトを通すことで使用者の腰近傍に垂れ下げることが可能な垂下部材と、
前記垂下部材に固定される飲料容器保持枠と、を備えた飲料保持具。
【請求項２】
前記飲料容器保持枠は、前記垂下部材に固定される板状部材及び前記板状部材に固定される台座部材を介して前記垂下部材に固定されている請求項１記載の飲料保持具。
【請求項３】
前記飲料容器保持枠は、棒状又は薄膜状の金属又は樹脂が組み合される又は曲げられることにより構成されており、飲料容器が保持された場合に、前記飲料容器に押さえつける力が加わるとともに、前記飲料容器内部の残量を容易に確認することのできる請求項１記載の飲料保持具。
【請求項４】
前記ベルト通し孔は、帯状の垂下部材の一方の端が折り曲げられて固定具により垂下部材自身に固定されることで形成される請求項１記載の飲料保持具。
【考案の詳細な説明】
【技術分野】
【０００１】
本考案は、飲料保持具に関する。
【背景技術】
【０００２】
工事現場や田畑の作業中において、熱中症対策としての水分補給は必須である。水道等の水供給場所から離れた場合でも簡便に水分を補給できるようにするための道具として、金属製の水筒やペットボトルが広く用いられている。
【０００３】
しかしながら、作業中は両手を用いて行うのが一般的であり、上記水筒やペットボトルを用いる場合であっても、そのまま手に持ちながら作業を行うことは困難である。そのため、作業場の近くにペットボトル等を置き、必要に応じてペットボトルを取りに行き、水分を補給するのが通常である。
【０００４】
ところで、工事現場では、例えば、下記実用新案登録文献１で示されるような、いわゆる作業用腰袋等が用いられている。作業用腰袋とは、ベルトに通すためのベルト通し孔が形成された垂下部材を備え、これにベルトを通し、これに袋が備えられており、釘や工具等を入れることで、素早く釘や工具などを取り出し、効率を落とすことなく作業をつつけることができる。
【先行技術文献】
【特許文献】
【０００５】
【特許文献１】実用新案登録第３１９６４４８号公報
【考案の概要】
【考案が解決しようとする課題】
【０００６】
しかしながら、上記腰袋は工具や釘等を入れるものであって、飲料を保持することを前提にしていない。
【０００７】
さらに、現場の作業者が意識的かつ積極的に水分を補給することができていれば問題はないが、作業に集中すると作業者は現場を離れることが難しく、また、作業に集中するあまり自身が水分を補給するのを忘れてしまい、気づいた時には水分不足による熱中症にかかってしまうといったおそれがある。
【０００８】
そこで、本考案は、上記課題に鑑み、より簡便に作業員が水分を補給することができるための飲料保持具を提供することを目的とする。
【課題を解決するための手段】
【０００９】
上記課題を解決する本考案の一観点に係る飲料保持具は、ベルト通し孔が形成され、ベルトを通すことで使用者の腰近傍に垂れ下げることが可能な垂下部材と、垂下部材に固定される飲料容器保持枠と、を備えていることを特徴とする。
【００１０】
また、本観点において、飲料容器保持枠は、垂下部材に固定される板状部材及び板状部材に固定される台座部材を介して垂下部材に固定されていることが好ましい。
【００１１】
また、本観点において、飲料容器保持枠は、棒状金属が組み合わされる及び曲げられることの少なくともいずれかにより構成されており、飲料容器が保持された場合に、飲料容器に押さえつける力が加わるとともに、飲料容器内部の残量を容易に確認することのできるようになっていることが好ましい。
【００１２】
また、本観点において、ベルト通し孔は、帯状の垂下部材の一方の端が折り曲げられて固定具により垂下部材自身に固定されることで形成されていることが好ましい。
【考案の効果】
【００１３】
以上、本考案によって、より簡便に作業員が水分を補給することができるための飲料保持具を提供することができる。
【図面の簡単な説明】
【００１４】
【図１】実施形態に係る飲料保持具の概略を示す図である。
【図２】実施形態に係る飲料保持具の概略を示す図である。
【図３】実施形態に係る飲料保持具の他の例の概略を示す図である。
【考案を実施するための最良の形態】
【００１５】
以下、本考案の実施形態について図面を用いて詳細に説明する。ただし、本考案は多くの異なる形態による実施が可能であり、以下に示す実施形態における具体的な例示にのみ限定されるわけではない。
【００１６】
図１、２は、本実施形態に係る飲料保持具１の概略を示す図である。本図で示すように、本飲料保持具１は、ベルト通し孔２１が形成され、ベルトを通すことで使用者の腰近傍に垂れ下げることが可能な垂下部材２と、垂下部材２に固定される飲料容器保持枠３と、を備えたものである。
【００１７】
本飲料保持具１の垂下部材２は、上記の通り、ベルト通し孔２１が形成され、ベルトを通すことで使用者の腰近傍に垂れ下げることが可能なものである。垂下部材２はこの機能を有するものである限りにおいて限定されるわけではなく、例えば皮や布などを例示することができる。また布の場合、織布であっても不織布であってもよい。また布の材質としても、植物繊維であっても、合成繊維であってもよい。また、垂下部材に布を用いる場合、飲料容器保持枠３を安定的に保持する観点からスポンジや厚紙等の緩衝材を挟むことが好ましい。
【００１８】
また本飲料保持具１の垂下部材２のベルト通し孔は、ベルトを通して安定的に保持することができる限りにおいて限定されるわけではないが、帯状の垂下部材の一方の端が折り曲げられて固定具２２により垂下部材自身に固定されることで形成されたものとなっていることが強度の観点および製造上簡便となるため好ましい。またこの場合において、固定具はリベットのように一度固定したら着脱できないようにしておいてもよいが、例えば図３で示すように、固定具２２をスナップボタンとし、必要に応じて着脱可能なものとしてもよい。
【００１９】
また本飲料保持具１において飲料容器保持枠３は上記の通り、垂下部材２に固定されるものであって、ペットボトルや水筒等の飲料容器を保持するためのものである。
【００２０】
本飲料容器保持枠３の構成は、上記の機能を有する限りにおいて限定されるわけではないが、棒状又は薄膜状の金属又は樹脂が組み合される及び曲げられることの少なくともいずれかにより構成されていることが好ましい。飲料容器保持枠３を棒状又は薄膜状の金属又は樹脂、好ましくは径、厚さ又は幅が１ｃｍ以下より好ましくは５ｍｍ以下もので用いることにより、軽量化と強度の両立を図ることができ、飲料容器が保持された場合に、飲料容器に押さえつける適度な力を加えることが可能となり、作業中に激しく動いたとしても飲料容器を落としてしまうことを防止することが可能となる。また、細い部材で構成することで、飲料容器全体を覆うことがないため、飲料容器周囲、より具体的には飲料容器内部の残量を容易に確認できるようになる。このようにすれば、作業者が集中し自身で水分を補給するのを忘れてしまった場合でも、現場監督者等の他者がこの飲料容器中の残量を簡単に確認することが可能となり、熱中症の防止を他人からも簡単に行うことができるようになる。すなわち、気づいた時には水分不足による熱中症にかかってしまうといったおそれを防止することができる。
【００２１】
本飲料容器保持枠３は、上記の機能を有する限りにおいて限定されるわけではないが、少なくとも３本、好ましくは４本以上の部材３１と、底部材３２と、を含んでいることが好ましい。少なくとも３本の部材を含ませることで略円形状の断面の飲料容器が横から抜け落ちてしまうことを防止することができ、底部材を設けることで飲料容器が下に抜け落ちてしまうことを防止できる。
【００２２】
また本飲料容器保持枠３は、限定されるわけではないが、垂下部材２に固定される板状部材４１及び板状部材４１に固定される台座部材４２を介して垂下部材３に固定されていることが好ましい。ペットボトル等は一般に縦に長い形状をしており、ペットボトルの先端又は底の角部が作業中作業者の体に頻繁に当たることで肌がすれて痛くなってしまう恐れがある。そのため、板状部材４１を垂下部材２にあて、更に台座部材を備えることで台座部すなわち作業者の体から少しでも離し、ペットボトル等の角部が作業者の体に当たらないようにすることができる。なお、板状部材４１及び台座部材４２の材質は特に制限されず、種々のものを採用することができ、上記垂下部材２、飲料容器保持枠３と同一も部材で構成してもよく、別の部材で構成してもよい。また、飲料容器保持枠３と一体に形成してもよい。
【００２３】
以上、本飲料保持具によって、より簡便に作業員が水分を補給することができるための飲料保持具を提供することができる。
【産業上の利用可能性】
【００２４】
本考案は、飲料保持具として産業上の利用可能性がある。
【図１】
0003207744.tif 000003
【図２】
0003207744.tif 000004
【図３】
0003207744.tif 000005